(57)【要約】  【課題】  接続プラグにより外部機器との接続を行う場合、端子部を覆い隠している端子カバーを開いて使用している際、端子カバーが撮像装置本体に対して不安定に取り付いているため撮像装置を操作する時、端子カバーが邪魔になり操作性が悪い。また、撮像装置は接続プラグの抜け方向に対して接続プラグを保持する構造となっていないため、撮像装置を操作する際、不用意に接続プラグが外れてしまう。  【解決手段】  外部機器との接続端子を覆う着脱可能な端子カバーにおいて、外部機器との接続プラグを前記端子カバーで保持する。【選択図】  図５
2013187718.tif 000002
【特許請求の範囲】
【請求項１】
外部機器との接続端子を覆う着脱可能でかつ撮像装置本体に取り外し不能に取着されている端子カバーを有し、前記端子カバーは外部機器と接続するための接続プラグに勘合するための凹座と弾性部材で形成されたヒンジ部を有することを特徴とする撮像装置。
【請求項２】
前記接続プラグはＬ字型で構成された接続部と前記端子カバーと勘合するための勘合部を有することを特徴とする請求項１に記載の撮像装置。
【発明の詳細な説明】
【技術分野】
【０００１】
本発明は外部機器との接続を行うためのジャックなどの端子部を覆うために構成された端子カバーを有した撮像装置に関するものである。
【背景技術】
【０００２】
近年、デジタルビデオやデジタルカメラなどの撮像装置においては様々な機能を付加した撮像装置の多機能化が進んでいる。一方で撮像装置の携帯性の観点から撮像装置本体の小型化が重要となってきている。ここで撮像装置が多機能化することで外部機器と接続するための端子部や端子カバーは増加する。従来は特許文献１にある通り、外装を構成するケースに電子機器側コネクタを収容する収容凹部が設けられ、前記収容凹部に前記電子機器側コネクタが収容され、前記収容凹部を開閉する蓋体が設けられていることを特徴とする撮像装置の例が開示されている。一方で撮像装置本体が小型化することで、スイッチ等の操作部と端子部が非常に近接する傾向となり端子カバーや接続プラグが操作部と接触し、操作性の低下が懸念される。ここで、如何に操作性を損なわない撮像装置とするか、その設計が重要となってきている。
【０００３】
図７は撮像装置の内部構成を示すブロック図である。図７に示すように、撮像装置１００は、レンズ２１、撮像素子２２、カメラ信号処理部２３、モニタ２４、レコーダ２５、電源回路２６、ＤＣジャック２７、制御マイコン２８、操作キー２９を備える。撮像装置の原理としては、レンズ２１を通ってきた光が撮像素子２２によって電気信号に変えられ、カメラ信号処理部２３によってデジタル処理される。そして像をレコーダ２５に記録し、モニタ２４に表示する構成となっている。また、撮影者はモニタ２４に表示される像を確認しつつ操作キー２９を操作する。この操作キー２９の操作内容を示すデータは、制御マイコン２８により具体的な処理内容を示すコマンドにブレークダウンされた後、各部に供給される。また、ＤＣジャック２７によって電源が各回路へ供給される仕組みになっている。
【０００４】
図８は撮像装置本体１００へ外部機器と接続するための接続プラグ３０を装着した状態を表した外観図である。前述した通り、撮像装置本体１００の小型化により、スイッチ等の操作部３１と端子カバー３２が接触している。
【先行技術文献】
【特許文献】
【０００５】
【特許文献１】特開２００６−１７９３９３号公報
【発明の概要】
【発明が解決しようとする課題】
【０００６】
しかしながら、上記従来例では、以下のような課題があった。
【０００７】
（課題（１））
接続プラグにより外部機器との接続を行う場合、端子部を覆い隠している端子カバーを開いて使用している際、端子カバーが撮像装置本体に対して不安定に取り付いているため撮像装置を操作する時、端子カバーが邪魔になり操作性に課題がある。
【０００８】
（課題（２））
撮像装置は接続プラグの抜け方向に対して接続プラグを保持する構造となっていないため、撮像装置を操作する際、不用意に接続プラグが外れてしまう。
【０００９】
そこで、本発明は上述の実情に鑑み、撮像装置の操作性を向上し、且つ、接続プラグの抜け防止構造を備えた撮像装置を提供するものである。
【課題を解決するための手段】
【００１０】
本発明の撮像装置は、外部機器との接続端子を覆う着脱可能でかつ撮像装置本体に取り外し不能に取着されている端子カバーを有し、前記端子カバーは外部機器と接続するための接続プラグに勘合するための凹座と弾性部材で形成されたヒンジ部を有することを特徴としている。
【００１１】
また、本発明の他の特徴とするところは、前記接続プラグはＬ字型で構成された接続部と前記端子カバーと勘合するための勘合部を有することを特徴としている。
【発明の効果】
【００１２】
以上説明したように、本発明に係る撮像装置は、端子カバーと接続プラグが共に固定されるので操作性が向上し、且つ、接続プラグの抜け防止が可能であるといった効果がある。
【図面の簡単な説明】
【００１３】
【図１】本発明の実施例に係る撮像装置本体と端子カバーの関係を表した図である。
【図２】本発明の実施例に係る撮像装置本体から端子カバーを着脱した図である。
【図３】本発明の実施例に係る撮像装置本体へ外部機器と接続するための接続プラグを装着した外観図である。
【図４】本発明の実施例に係る撮像装置本体が有する端子カバーの外観図である。
【図５】本発明の実施例に係る撮像装置本体へ接続プラグを装着した状態を表した断面図である。
【図６】本発明の実施例に係る撮像装置本体へ接続する接続プラグの外観図である。
【図７】従来の撮像装置の内部構成を示すブロック図である。
【図８】従来の撮像装置へ接続プラグを装着した状態を表した外観図である。
【発明を実施するための形態】
【００１４】
以下、本発明の実施の形態について、図面を参照しながら説明する。
【００１５】
（撮像装置本体と端子カバーの説明）
図１に本発明に係る撮像装置本体と端子カバーの関係を表した図を示す。
【００１６】
図１に示すように、撮像装置１０は、撮像装置本体に対して撮像装置後方にＤＣジャックを覆い隠すように構成されている端子カバー２を備えて成る。
【００１７】
次に図２に本発明に係る撮像装置本体から端子カバーを引き出した状態の図を示す。
【００１８】
図２に示すように、本発明に係る撮像装置１０は、端子カバー２を引き出すことで露出されるＤＣジャック端子部１を備えて成る。
【００１９】
（撮像装置本体へプラグを接続した状態の説明）
図３に本発明に係る撮像装置本体へ外部機器と接続するための接続プラグを装着した外観図を示す。
【００２０】
図３に示すように、接続プラグ３をＤＣジャック端子部１へ接続する場合は、端子カバー２を撮像装置１０から引き出し、接続プラグ３を端子部１へ接続する。この接続プラグ３により外部機器との接続が行われ電源の供給を行う。
【００２１】
（クレーム（１）の説明）
図４に本発明に係る撮像装置本体が有する端子カバーの外観図を示す。
【００２２】
図４に示すように、本発明では、端子カバー２は、勘合される接続プラグの形状に合った凹座部４を有し、この凹座部４へ接続プラグを勘合させることで接続プラグを保持する構造となっている。また端子カバー２は弾性部材で構成されたヒンジ部５を有し、端子カバー２を接続プラグへ勘合させやすいような構造となっている。また端子カバー２はヒンジ部５に袋形状部８を有し、撮像装置の抜け止め部により撮像装置に取り外し不能に取着される構造となっている。
【００２３】
図５に本発明に係る撮像装置本体へ接続プラグを装着した状態を表した断面図を示す。
【００２４】
図５に示すように、着脱した端子カバー２を接続プラグ３の勘合部６へ勘合し、端子カバー２を接続プラグ３で保持する。これにより端子カバー２が不安定となることなく接続プラグ３の勘合部６へ固定されるので端子カバー２が操作の邪魔になることなく撮像装置の操作性が向上する。また端子カバー２の袋形状部８により撮像装置の抜け止め部にひっかかり、撮像装置に取り外し不能に取着されている構造となっている。これにより端子カバー２がストッパーとなり接続プラグ３が不用意に外れることを防止できる。
【００２５】
（クレーム（２）の説明）
図６に本発明に係る撮像装置本体へ接続する接続プラグの外観図を示す。
【００２６】
図６に示すように、接続プラグ３はプラグ形状が根本でＬ字型に屈折しており、このＬ字型で構成された接続部９と、端子カバーと勘合するための勘合部６で構成されている。この勘合部６へ端子カバーを勘合させることで接続プラグ３を端子カバーで保持する構造となっている。
【００２７】
ここで本実施例ではＤＣジャック端子を例に説明したが、もちろんその他の端子部であっても適用可能である。
【符号の説明】
【００２８】
１０‥‥撮像装置
１‥‥ＤＣジャック端子部
２‥‥端子カバー
３‥‥接続プラグ
４‥‥凹座部
５‥‥ヒンジ部
６‥‥勘合部
７‥‥抜け止め部
８‥‥袋形状部
９‥‥接続部
１００‥‥撮像装置
２１・・・・レンズ
２２・・・・撮像素子
２３・・・・カメラ信号処理部
２４・・・・モニタ
２５・・・・レコーダ
２６・・・・電源
２７・・・・ＤＣジャック
２８・・・・制御マイコン
２９・・・・操作キー
３０・・・・接続プラグ
３１・・・・操作部
３２・・・・端子カバー
【図１】
2013187718.tif 000003
【図２】
2013187718.tif 000004
【図３】
2013187718.tif 000005
【図４】
2013187718.tif 000006
【図５】
2013187718.tif 000007
【図６】
2013187718.tif 000008
【図７】
2013187718.tif 000009
【図８】
2013187718.tif 000010